(57)【要約】【課題】    従来のオーバーフロー構造は、流速を空気注入に依存するため、気液落水音までは消せず、使用者や回りの人にうるさいもので、ポンプ、給水管内の汚れ詰まりは給液管の液量を減少させ、空気巻き込み音量が増えるという課題と、この課題を、容易に解決すべき構造を備えているとは考えられない。【解決手段】    本発明の空気圧によるオーバーフロー流速調整装置は、垂下管を落ちる気液流から液流とし騒音を無音化した構造である。ポンプ、給液管内の汚れ詰まりは、給液管からの液量の減少で起こり、空気巻込み音を発生させるので、本発明は、液量の減少を無くすため、フィルター濾材を改善するとともに、液質を改善し、液量を安定させて、空気巻込み音を無くす。【選択図】    図１
2017180281.tif 000002
【特許請求の範囲】
【請求項１】
第二筒に第一筒が隙間を設けて装填され、この第一筒には、オーバーフロー管に繋がる入力管と、空気圧逃がし管とをそれぞれ連通し、前記隙間を流れる液のレベルを第一筒で再現する役割を担う下端開放の井戸管を配備し、この井戸管に挿入深さを調整できるようにした下端開放の空気圧逃がし延長管を設けるとともに、この空気圧逃がし延長管を支持する通気性支持材を当該井戸管に設け、前記第一筒の下端を開放し、また、前記第二筒の下端を閉じ、この第一筒の下端の開放より、前記隙間に入力された前記液がオーバーフローする横管を、前記第二筒の上端の下側に配備する構成としたオーバーフロー流速調整装置。
【請求項２】
前記第一筒の下端の開放となる底は、網構造とするとともに、この網構造の間に、フィルター濾材を収容する構成とした、請求項１に記載のオーバーフロー流速調整装置。
【請求項３】
前記空気圧逃がし管と、空気圧逃がし延長管とを、伸縮蛇腹ホースで繋ぐ構成とした、請求項１または２に記載のオーバーフロー流速調整装置。
【発明の詳細な説明】
【技術分野】
【０００１】
本発明は、落差を利用して落下させるオーバーフロー管の落下液の液流速を空気圧で流速調整をする技術に関する。
【背景技術】
【０００２】
従来のオーバーフローは空気音を無くす為に気孔弁を設け垂下するサイフォン管に空気を注入して液流速を調整していた。（例えば、特許文献１、特許文献２参照。）
特許文献１となる特開２００７−８５３２０号公報では、図１０にあるように気孔フロート弁、図１２にあるように気孔延長管での水面式代用弁といったようにサイフォン管に空気を注入して液流速を調整していた。
【０００３】
特許文献２となる特開２００７−２３６３１５号公報では、図８−１、図８−２、の水位微調整管６を設け垂下するサイフォン管に空気を注入して液流速を調整していた。
【０００４】
【特許文献１】特開２００７−８５３２０号公報
【特許文献２】特開２００７−２３６３１５号公報
【発明の概要】
【発明が解決しようとする課題】
【０００５】
以上述べた従来のオーバーフロー構造は、流速を空気注入に依存するため、気液落水音までは消せず、使用者や回りの人にうるさいもので、ポンプ、給水管内の汚れ詰まりは給液管の液量を減少させ、空気巻き込み音量が増えるという課題と、この課題を、容易に解決すべき構造を備えているとは考えられない（容易に音を安定に消せる物ではなかった）。
【０００６】
本発明は、このような従来の構成が有していた課題を解決しようとするものであり、オーバーフロー管からの騒音を効果的に消音し、安定した静かな空気圧逃がし動作を備えたオーバーフロー流速調整を実現することを目的とするものである。
【課題を解決するための手段】
【０００７】
本発明は、上記目的を達成するために、第一の発明は、第二筒の内側に第一筒が隙間を設けて装填され、第一筒にはオーバーフロー管に繋がれる入力管、空気圧逃がし管を設けるとともに、空気圧逃がし延長管を支持する通気性支持材を井戸管に設け、第一筒の下端を開放し、また、前記第二筒の下端を閉じ、第一筒の下方で出力できる横管からなる構成としたものである。
【０００８】
また第二の発明は、第一筒の下端の開放となる底は、網構造とするとともに、網構造の上の格納スペースに、フィルター濾材を収容する構成としたものである。
【０００９】
さらに第三の発明は、空気圧逃がし管と、空気圧逃がし延長管とを、伸縮蛇腹ホースで繋ぐ構成としものである。
【００１０】
以上の構造を提案することで、下記の特徴が達成できる。
【００１１】
上記第１の課題解決手段による作用は、入力気液から分離格納した空気の弾性圧力が入力管に働き流速を抑制し、空気巻き込み音を無くすことができる。
【００１２】
上記第２の課題解決手段による作用は、第一筒内の開放端にフィルター濾材を設け、かつ第一筒に空気圧逃がし管を設けるとともに、格納スペースが有ることで液質を改善しポンプ、給液管内の汚れ詰まりで入力管（垂下管）の液量が減少し空気巻き込み音が発生するのを阻止できる。
【発明の効果】
【００１３】
上述したように本発明の空気圧によるオーバーフロー流速調整装置は垂下管を下り落ちる気液流から液流とし騒音を無音化した構造である。
【００１４】
さらに本発明は、ポンプ、給液管内の汚れ詰まりは、この給液管からの液量の減少で起こることと、しかも、空気巻込み音を発生させるので、液量の減少を無くす。そのために、フィルター濾材を改善するとともに、液質を改善し、液量を安定させて、空気巻込み音を無くす（騒音を無くす）ことも併せて目的とする。
【図面の簡単な説明】
【００１５】
【図１】第一筒の外観図
【図２】第二筒の外観図
【図３】本発明の実施形態の斜図で図２の第二筒に図１の第一筒を装填した外観図
【図４】図３の本発明実施形態本体のＡ−Ｂ−Ｃ−Ｄの断面図
【図５】上方オーバーフロー管と空気圧によるオーバーフロー流速調整装置の接続を示す断面図
【図６】上方オーバーフロー管と空気圧によるオーバーフロー流速調整装置の接続を示す断面図
【図７】オーバーフロー管からの落水が始まる初期段階を示す断面図
【図８】オーバーフロー管の気液流が液流になった段階を示す断面図
【図９】オーバーフロー管が液流になる段階で空気圧逃がし延長管を短くした様子を示す断面図
【図１０】上方の液面変動で落下してくる微細泡が井戸管に逃げる様子を示す断面図
【図１１】空気圧逃がし延長管が浅い時の圧力計を読む断面図
【図１２】空気圧逃がし延長管が深い時の圧力計を読む断面図
【発明を実施するための形態】
【００１６】
以下、本発明の実施形態を図面に基づいて、説明する。
【００１７】
図３は図２の第二筒５内に図１の第一筒４が隙間１１を開けて装填された、空気圧によるオーバーフロー流速調整装置の斜視図である。
【００１８】
図１の第一筒４上部には（第一筒４を塞ぐ手段、例えば、キャップ８−１を貫設する）入力管１、空気圧逃がし管２が装填されており、隙間１１を流れる液流のレベルを第一筒４内で再現する井戸状に貫く井戸管３を設け、この井戸管３には挿入深さを調節できるように空気圧逃がし延長管２−１が、通気性支持材２−２で半固定（フレキシブルに支持）され、第一筒４の下端は開放（開放端）とされ、気液入力液１０（入力液か、または単に液とする）は前記隙間１１を上方に昇る液を、図２の第二筒５と、第二筒５の丈より下方で出力できる横管６からなる。前記入力管１の上方端開口と、空気圧逃がし管２の上方端開口とは、伸縮蛇腹ホース１４で繋がれている。
【００１９】
図中８は、第二筒５の底に設けたキュップを示しており、この第二筒５の立設確保にある。
【００２０】
また、空気圧によるオーバーフロー流速調整装置の第一筒４の底の開放を図１に示した網７構造とし、網７の上の空間にフィルター濾材１２を格納する。
【００２１】
上記構成の動作を以下に説明する。空気圧によるオーバーフロー流速調整装置の接続する手段には図５、図６のような例があるが、垂下管２１の径が同等にある時における動作説明は同じであるから、本説明は図５によるサイフォン式オーバーフローの接続例に基づいて説明する。
【００２２】
図３は接続される本装置外観、図４は本装置のＡ−Ｂ−Ｃ−Ｄの断面図、図４において、中から、フィルター濾材１２を外した状態で、経過を追って図示した図面が、図７〜図１０である。
【００２３】
図５において、ポンプ２２が稼動すると、タンク２０の水位が上昇し空気を巻き込む気液流がオーバーフロー管１８を通って垂下管２１、図４の入力管１へと流れる水が、この様子は図７に示す様に入力管１からの入力液１０より分離された空気は、同図の如く、空気圧逃がし管２が繋がれた第一筒４に形成された格納スペース９に溜まるか、又はここに収容されたフィルター濾材１２に溜まる。その後、水又は液は第一筒４の開放端に設けた網７と、格納スペース９に収容されたフィルター濾材１２とを経て横管６より排水又は排液１３される。又は隙間１１からオーバーフローして排液１３等される。
【００２４】
この格納スペース９に空気が一定量溜まると、図８の様に入力管１から気泡が無くなり、空気巻き込み音が無くなる。
【００２５】
尚、第一筒４の井戸管３内、空気圧逃がし延長管２−１の下方端開口を液面Ｋ１に合わせるように、通気性支持材２−２で半固定とした構造が図９である。
【００２６】
図５に示すように、タンク２０の何らかの微妙な水位変位で再び気液流落下が起こるが、この際の微細泡１５は、図１０の様に空気圧逃がし延長管２−１から井戸状に貫く井戸管３へ排出するので、常に安定に液頭圧Ｈ１を維持することができる。
【００２７】
空気圧逃がし延長管２−１の深さを変え入力管１での圧力を図１１、図１２の様にロート１７などで注入し計測すると、圧力計１６の読みは深くした図１２のほうが高くなる。
【００２８】
上述によると、空気圧逃がし延長管２−１の深さＫの調節により、垂下管２１内を隙間なく流れる管の液流速は、調整することができる。
【００２９】
上述の詳細な説明により、本発明の流速調整は、少なくとも、空気圧によって可能となることが判明した有用性を備えた構造である。
【００３０】
また、図８、９において、液頭圧Ｈ１まで空気が溜まると空気巻き込み音を無くすことが可能となる。
【００３１】
図４等のフィルター濾材１２を採用し、液質を改善することで、ポンプ２２、給液管１９内の汚れ詰まりが減少し、かつ給液管１９の液量減少に起因する空気巻き込み音増大を阻止できる装置を提供できる。
【００３２】
実施例により本発明を詳細に述べるが、本発明はこれらの実施例に限定されるものではない。
【符号の説明】
【００３３】
１  入力管
２  空気圧逃がし管
２−１  空気圧逃がし延長管
２−２  通気性支持材
３    井戸管
４    第一筒
５    第二筒
６    横管
７    網
８    キャップ
８−１    キャップ
９    格納スペース
１０  気液入力液
１１  隙間
１２  フィルター濾材
１３  排液
１４  伸縮蛇腹ホース
１５  微細泡
１６  圧力計
１７  ロート
１８  オーバーフロー管
１９  給液管
２０  タンク
２１  垂下管
２２  ポンプ
Ａ−Ｂ−Ｃ−Ｄ  断面
Ｋ    空気圧逃がし延長管深さ
Ｋ１  液面
Ｈ１  液頭圧
【図１】
2017180281.tif 000003
【図２】
2017180281.tif 000004
【図３】
2017180281.tif 000005
【図４】
2017180281.tif 000006
【図５】
2017180281.tif 000007
【図６】
2017180281.tif 000008
【図７】
2017180281.tif 000009
【図８】
2017180281.tif 000010
【図９】
2017180281.tif 000011
【図１０】
2017180281.tif 000012
【図１１】
2017180281.tif 000013
【図１２】
2017180281.tif 000014